(57)【要約】【課題】構造を簡素化しうるとともに、機器を安定して支持することができ、しかも天板を所望の位置で確実に係止しうるようにした機器格納式机を提供する。【解決手段】天板１を、天板支持体２の後部に設けた機器収容空間７の上端の開口を閉塞する後限位置Ａと、後端が、機器収容空間７より上方に上昇させたときの昇降支柱３１の前面に当接するか、または近接する半開位置Ｃと、それよりさらに前方に位置し、後方に、昇降支柱３１と、それに装着したディスプレイ３８とがともに昇降しうるようにした開口を形成する前限位置Ｂとに移動可能とするとともに、天板１と天板支持体２との間に、天板を後限位置Ａと半開位置Ｃとにおいて係止しうる係止手段を設ける。【選択図】  図４
2010088758.tif 000002
【特許請求の範囲】
【請求項１】
天板を、その下方の天板支持体に対して前後方向に摺動可能として装着し、前記天板を前方に移動した際に前記天板支持体の後部上面に形成される開口を通して、前記天板支持体内に収容した昇降支柱と、それに装着した機器とが、天板の下方に収容される収容位置と、機器が天板より上方に位置する使用位置との間を昇降しうるようにした機器格納式机において、
前記天板を、天板支持体の前記開口を閉塞する後限位置と、後端が上昇させたときの前記昇降支柱の前面に当接するか、または近接する半開位置と、それよりさらに前方に位置し、後方に前記昇降支柱と機器とがともに昇降しうる開口を形成する前限位置とに移動可能とするとともに、前記天板と天板支持体との間に、前記天板を後限位置と半開位置とにおいて係止しうる係止手段を設けたことを特徴とする機器格納式机。
【請求項２】
係止手段を、天板支持体の上面と天板の下面との対向面の何れか一方に、いずれか他方の対向面に向かって出没自在に設けられ、かつ他方の対向面に向かって突出する方向に常時付勢された係合ピンと、天板が後限位置と半開位置とに位置しているときに、前記係合ピンが嵌合しうるように他方の対向面に設けられた２個の係合孔と、前記係合ピンが設けられた方の天板支持体または天板に設けられ、かつ解除方向に移動させられることにより、前記係合ピンを係合孔から離脱する方向に移動させる操作レバーとを備えるものとした請求項１記載の機器格納式机。
【請求項３】
係止手段を、天板支持体の上面に、上方に向かって出没自在に設けられ、かつ上方に向かって付勢された係合ピンと、天板が後限位置と半開位置とに位置しているときに、前記係合ピンが嵌合しうるように天板の下面に設けられた２個の係合孔と、天板支持体に設けられ、かつ解除方向に移動させられることにより、前記係合ピンを係合孔から離脱する方向に移動させる操作レバーとを備えるものとした請求項１または２記載の機器格納式机。
【請求項４】
係止手段が、天板の下方において天板支持体の前上部に横架された横杆における左右方向の適所に設けられた下端が開口するケースを備えており、このケースに、下方を向く操作レバーの上端部が、左右方向を向く軸をもって枢着され、前記操作レバーの上端部から後方を向く作動片の後端部に、上方を向く係合ピンを一体的に設け、操作レバーの下端部を前方に回動させることにより、前記係合ピンが下方に回動させられて、天板支持体の上面より下方に没入されるようにした請求項３記載の機器格納式机。
【請求項５】
先端部がケースの一部に圧接することにより、係合ピンが上方に回動する方向に操作レバーを付勢する弾性舌片を、操作レバーと一体的に設けた請求項４記載の機器格納式机。
【請求項６】
昇降支柱の前面に、半開位置に位置している天板の上面に当接して、上昇している昇降支柱の下降を阻止するストッパを設けた請求項１〜５のいずれかに記載の機器格納式机。
【請求項７】
天板と天板支持体との間に、天板を前限位置に向かって付勢するダンパーを設けた請求項１〜６のいずれかに記載の機器格納式机。
【発明の詳細な説明】
【技術分野】
【０００１】
本発明は、パソコンのディスプレイ等の機器を、机の天板の下に格納できるとともに、随時天板の上方に引き上げて使用できるようにした機器格納式机に関する。
【背景技術】
【０００２】
従来のこの種の機器格納式机としては、例えば、机の天板に開口部を設け、この開口部を天蓋により開閉しうるようにするとともに、上記開口部の下方に、機器を載置した昇降台を、天板の下方に格納された格納位置と上記開口部に臨む上昇位置とに移動可能としたもの(例えば、特許文献１参照)や、天板を、その下方の天板支持体に対して前後方向に摺動可能として装着し、天板を前方に移動した際に天板支持体の後部上面に形成される開口を通して、天板支持体内に収容した昇降支柱と、それに装着した機器とが、天板の下方に収容される収容位置と、機器が天板より上方に位置する使用位置との間を昇降しうるようにしたもの(例えば、特許文献２参照)等がある。
【特許文献１】特開２００１−１２８７５５号公報
【特許文献２】特開２００２−１６５６４８号公報
【発明の開示】
【発明が解決しようとする課題】
【０００３】
しかし、特許文献１に記載されているものは、天板に開口を設けなければならず、また天蓋の開閉を、昇降台の昇降と連動させるのに複雑な連動機構が必要で、構造が複雑化する等の問題がある。
【０００４】
また、特許文献２に記載されているものは、昇降支柱と、それに装着した機器とが、使用位置に位置している状態で、天板を後限まで移動できるようにするため、昇降支柱の下端に、天板の後端部が嵌合するようにした側面視コ字状の係止保持部を設けてあるため、昇降支柱および機器の支持が不安定になるとともに、それらを斜め後方に昇降させるようにしなければならず、その案内手段が複雑化したり、昇降が不円滑となるおそれがある。
【０００５】
本発明は、従来の技術が有する上記のような問題点に鑑み、構造を簡素化しうるとともに、機器を安定して支持することができ、しかも天板を所望の位置で確実に係止しうるようにした機器格納式机を提供することを目的としている。
【課題を解決するための手段】
【０００６】
本発明によると、上記課題は、次のようにして解決される。
(１)  天板を、その下方の天板支持体に対して前後方向に摺動可能として装着し、前記天板を前方に移動した際に前記天板支持体の後部上面に形成される開口を通して、前記天板支持体内に収容した昇降支柱と、それに装着した機器とが、天板の下方に収容される収容位置と、機器が天板より上方に位置する使用位置との間を昇降しうるようにした機器格納式机において、前記天板を、天板支持体の前記開口を閉塞する後限位置と、後端が上昇させたときの前記昇降支柱の前面に当接するか、または近接する半開位置と、それよりさらに前方に位置し、後方に前記昇降支柱と機器とがともに昇降しうる開口を形成する前限位置とに移動可能とするとともに、前記天板と天板支持体との間に、前記天板を後限位置と半開位置とにおいて係止しうる係止手段を設ける。
【０００７】
このような構成とすると、天板を、後限位置と半開位置とにおいて、確実に係止し、妄りに移動しないようにすることができるとともに、天板を前限位置まで移動させた状態で、昇降支柱と、それに装着した機器とを、使用位置まで真上に上昇させることができ、その後、天板を半開位置まで戻して、係止手段により係止することによって、機器を簡単に使用状態とすることができる。
係止手段を解除して、天板を前限位置まで移動させた状態で、昇降支柱と、それに装着した機器とを、収容位置まで真下に下降させることができ、その後、天板を後限位置まで戻して、係止手段により係止することによって、機器を簡単に収容位置に収容して、天板を後限位置で固定することができる。
昇降支柱は、使用位置としたとき、半開位置とした天板の後方に形成される開口を通って真上に起立することができ、上記特許文献２におけるような側面視コ字状の係止保持部等を設ける必要がなく、機器を安定して支持することができる。
さらに、昇降支柱に取付けられた機器の配線を、天板１を半開位置としたときに天板の後方に形成される半開状態の開口から下方に挿通させることができる。
【０００８】
(２)  上記(１)項において、係止手段を、天板支持体の上面と天板の下面との対向面の何れか一方に、いずれか他方の対向面に向かって出没自在に設けられ、かつ他方の対向面に向かって突出する方向に常時付勢された係合ピンと、天板が後限位置と半開位置とに位置しているときに、前記係合ピンが嵌合しうるように他方の対向面に設けられた２個の係合孔と、前記係合ピンが設けられた方の天板支持体または天板に設けられ、かつ解除方向に移動させられることにより、前記係合ピンを係合孔から離脱する方向に移動させる操作レバーとを備えるものとする。
【０００９】
このような構成とすると、簡単な構造で、天板を、後限位置と半開位置とに確実に係止することができる。
【００１０】
(３)  上記(１)または(２)項において、係止手段を、天板支持体の上面に、上方に向かって出没自在に設けられ、かつ上方に向かって付勢された係合ピンと、天板が後限位置と半開位置とに位置しているときに、前記係合ピンが嵌合しうるように天板の下面に設けられた２個の係合孔と、天板支持体に設けられ、かつ解除方向に移動させられることにより、前記係合ピンを係合孔から離脱する方向に移動させる操作レバーとを備えるものとする。
【００１１】
このような構成とすると、操作レバーを不動の位置に設けることができ、操作性をよくすることができる。
【００１２】
(４)  上記(３)項において、係止手段が、天板の下方において天板支持体の前上部に横架された横杆における左右方向の適所に設けられた下端が開口するケースを備えており、このケースに、下方を向く操作レバーの上端部が、左右方向を向く軸をもって枢着され、前記操作レバーの上端部から後方を向く作動片の後端部に、上方を向く係合ピンを一体的に設け、操作レバーの下端部を前方に回動させることにより、前記係合ピンが下方に回動させられて、天板支持体の上面より下方に没入されるようにする。
【００１３】
このような構成とすると、係止手段の構造を簡素化することができる。
【００１４】
(５)  上記(４)項において、先端部がケースの一部に圧接することにより、係合ピンが上方に回動する方向に操作レバーを付勢する弾性舌片を、操作レバーと一体的に設ける。
【００１５】
このような構成とすると、付勢手段を操作レバーと一体的に形成することができ、部品点数を削減できるとともに、構造を簡素化することができる。
【００１６】
(６)  上記(１)〜(５)項のいずれかにおいて、昇降支柱の前面に、半開位置に位置している天板の上面に当接して、上昇している昇降支柱の下降を阻止するストッパを設ける。
【００１７】
このような構成とすると、昇降支柱と、それに装着した機器とが、不意に下降するのを確実に阻止することができ、安全性を高めることができる。
【００１８】
(７)  上記(１)〜(６)項のいずれかにおいて、天板と天板支持体との間に、天板を前限位置に向かって付勢するダンパーを設ける。
【００１９】
このような構成とすると、係止手段を解除すると、天板は自動的に緩速で前方に移動するので、操作性が向上するとともに、天板が移動範囲を規制する部材等に当接する際の衝撃を緩和し、それらの相互の損傷を防止することができる。
【発明の効果】
【００２０】
本発明によると、構造を簡素化しうるとともに、機器を安定して支持することができ、しかも天板を所望の位置で確実に係止しうるようにした機器格納式机を提供することができる。
【発明を実施するための最良の形態】
【００２１】
以下、本発明の一実施形態を、添付図面を参照して説明する。  
図１〜図４に示すように、この機器格納式机は、横長の天板１を、その下方の天板支持体２により、前後方向に摺動可能として支持したものよりなっている。
天板支持体２は、側面視ほぼコ字状をなす左右１対の側脚３、３の後端同士を、左右方向を向く幕板４をもって連結するとともに、同じく、上部同士を、左右方向を向く前後の横杆５、５ａ(図２および図４参照)をもって連結することにより形成されている。
【００２２】
左右の側脚３、３間における幕板４の前方には、前面カバー６が着脱自在に装着されており、この幕板４と前面カバー６との間に、機器収容空間７が形成されている。
【００２３】
図５に示すように、各側脚３の上端には、前後方向を向く凹溝８が設けられており、この凹溝８内には、固定レール９に対して、可動レール１０が、複数のボール１１を介して円滑に前後方向に摺動しうるようにした公知のサスペンションレール１２が嵌合され、その固定レール９が、凹溝８の内側面に固着されている。
【００２４】
可動レール１０の外側面には、アングル材よりなる天板支持ブラケット１３における垂下片１３ａが固着されており、この天板支持ブラケット１３における垂下片１３ａの上端から内方を向く水平片１３ｂを、天板１の下面にねじ止めすることにより、天板１は、サスペンションレール１２の可動範囲である図２に想像線で示す後限位置Ａから、同じく前限位置Ｂまでの範囲を、円滑に前後動できるように両側脚３、３上に支持されている。
【００２５】
天板１が後限位置Ａに位置しているときは、機器収容空間７の上端の開口は、天板１の後部により完全に閉塞され、また天板１が前限位置Ｂに位置しているときは、機器収容空間７の上端の開口は、完全に開放するようにしてある。
【００２６】
天板１の両側部下面には、前後方向を向く長溝１４、１４が設けられており、この長溝１４、１４に、前方の横杆５の両側部上面に突設したピン１５が嵌合することにより、天板１を円滑に前後動するように案内している。
【００２７】
図２および図６に示すように、前方の横杆５における左右方向の中央部には、天板１を、後限位置Ａと、天板の後端が後述する上昇させたときの昇降支柱３１の前面に当接するか、または近接する半開位置Ｃとにおいて係止しうる係止手段１６が設けられている。
【００２８】
この係止手段１６は、横杆５の中央部に設けた方形の開口１７に嵌着した下端が開口する方形のケース１８を備えている。
このケース１８内には、下方を向く操作レバー１９の上端部が、左右方向を向く軸２０をもって枢着され、この操作レバー１９の上端部から後方を向く作動片１９ａの後端部には、ケース１８の上壁に設けた開口２１を通って、ケース１８の上面、すなわち天板支持体２の上面より上方に向かって出没しうる角軸状の係合ピン１９ｂが一体的に設けられており、操作レバー１９の下端部を前方に回動させることにより、係合ピン１９ｂが下方に回動させられて、天板支持体の上面より下方に没入されるようになっている。
【００２９】
操作レバー１９の上端部には、作動片１９ａの基部より分岐して、後下方に延出し、先端部がケース１８の後下部における前向折曲片１８ａに圧接することにより、操作レバー１９を、係合ピン１９ｂが天板支持体２の上面より上方に突出する方向、すなわち図６における反時計方向に付勢する付勢手段をなす弾性舌片１９ｃが一体的に設けられている。
【００３０】
天板１の中央部下面には、天板１が後限位置Ａと半開位置Ｃとに位置しているときに、係合ピン１９ｂが嵌合しうるようにした前後２個の係合孔２２、２３が設けられている。
【００３１】
したがって、この係止手段１６により、天板１を、後限位置Ａと半開位置Ｃとにおいて、確実に係止し、妄りに移動しないようにすることができるとともに、操作レバー１９の下端を前方に引いて、解除操作することにより、上記係止状態を簡単に解除することができる。
【００３２】
図２および図４に示すように、後方の横杆５ａにおける中央より若干右方に(または左方)に離れた部分の下面と、天板１の下面におけるほぼ中央とには、収縮傾向を有する公知のシリンダ式のダンパー２４の両端部が、上方を向く軸２５、２６をもってそれぞれ連結されており、このダンパー２４により、天板１は、常時前方に向かって、すなわち前限位置Ｂに向かって、緩速で移動するように付勢されている。
したがって、係止手段１６を解除すると、天板１は自動的に緩速で前方に移動するので、操作性が向上するとともに、天板１が移動範囲を規制する部材等に当接する際の衝撃を緩和し、それらの相互の損傷を防止することができる。
【００３３】
天板支持体２における機器収容空間７には、３個の機器昇降手段２７が、左右方向に並べて配設されている。
図３および図４に示すように、各機器昇降手段２７は、平面視内向きコ字状とした上下方向を向く左右１対のガイドレール２８、２８の上端部同士および下端部同士を、横連結材２９、２９をもって連結することにより、支持フレーム３０を形成して、これを幕板４に固着し、かつ昇降支柱３１を中央に立設した横長方形枠状の昇降体３２の両側面に装着した上下１対のガイドローラ３３、３３を、左右のガイドレール２８、２８に嵌合し、昇降体３２内の両側部に取り付けた左右１対の定荷重ばね３４、３４における各帯片３５の先端部を、上方の横連結材２９に止着して、両定荷重ばね３４、３４により、昇降体３２を上方に引き上げるように付勢し、昇降支柱３１の上端部に、昇降操作用のハンドル３６を設けるとともに、昇降支柱３１の中間部に取り付けたブラケット３７に、パソコンのディスプレイ３８等の機器を、左右方向を向く軸３９をもって枢着することにより、ディスプレイ３８を上下方向に首振り可能とし、さらに、天板１を前限位置Ｂまで移動して、機器収容空間７の上端の開口を開いた状態で、ハンドル３６をもって、昇降支柱３１、およびそれに装着したディスプレイ３８を、図４に想像線で示すように、機器収容空間７内に収容された収容位置Ｄから、同じく実線で示すように、ディスプレイ３８が天板１より上方に位置する使用位置Ｅまで、昇降しうるようにしたものよりなっている。
【００３４】
定荷重ばね３４、３４の付勢力は、昇降する部分全体、すなわち昇降支柱３１、昇降体３２、ディスプレイ３８等全体の重量とバランスするように設定しておくのがよい。
【００３５】
昇降支柱３１の前面におけるディスプレイ３８より下方の位置には、半開位置Ｃに位置している天板１の上面に当接して、上昇している昇降支柱３１の下降を阻止するストッパ４０が突設されている。
【００３６】
図１に示すように、天板１の下方における左右方向の中央部には、収容ボックス４１を設け、ここに、２個のパソコン本体４２、４２を収容し、左右両側部のディスプレイ３８用のキーボード４３は、不使用時には、天板１の下方における横杆５に固着したトレー４４に収容しうるようにしてある。
この例では、中央のディスプレイ３８にテキストを表示し、左右のディスプレイ３８とキーボード４３とを利用して、二人の生徒が学習しうるようにしてある。しかし、３個のディスプレイ３８の使用態様は、これに限るものではない。
【００３７】
この機器格納式机は、上記のような構成としてあるので、天板１を、後限位置Ａと半開位置Ｃとにおいて、確実に係止し、妄りに移動しないようにすることができるとともに、操作レバー１９の下端を前方に引いて、係合ピン１９ｂを係合孔２２、２３から離脱させ、天板１を前限位置Ｂまで移動させた状態で、ハンドル３６をもって、昇降支柱３１と、それに装着したディスプレイ３８とを、使用位置Ｅまで真上に上昇させることができ、その後、天板１を半開位置Ｃまで戻して、係合ピン１９ｂを係合孔２３に係合させることによって、ディスプレイ３８を簡単に使用状態とすることができる。
【００３８】
このとき、半開位置Ｃに位置している天板１の上面に、ストッパ４０が当接して、上昇している昇降支柱３１、およびディスプレイ３８の下降が確実に阻止され、安全性を高めることができる。
【００３９】
この使用状態から、操作レバー１９の下端を前方に引いて、係合ピン１９ｂを係合孔２３から離脱させ、天板１を前限位置Ｂまで移動させた状態で、ハンドル３６をもって、昇降支柱３１と、それに装着したディスプレイ３８とを、収容位置Ｄまで真下に押し下げることができ、その後、天板１を後限位置Ａまで戻して、係合ピン１９ｂを係合孔２２に係合させることによって、ディスプレイ３８を簡単に収容位置Ｄに収容して、天板１を後限位置Ａで固定することができる。
【００４０】
本発明は、上記実施形態のみに限定されるものではなく、幾多の変形した態様での実施が可能である。
例えば、係止手段１６を左右１対設けたり、その係止手段１６における操作レバー１９を天板１側に設け、係合孔２２、２３を天板支持体２側に設けたりしてもよい。
また、２個または３個のダンパー２４を、左右方向に並べて設けたり、弾性舌片１９ｃに代えて、圧縮コイルばねその他の付勢手段を設けてもよい。
このダンパー２４は、天板１を、後方に向けて付勢するようにして用いることもある。
【００４１】
さらに、上記実施形態においては、横長の１個の天板１に対して、３個のディスプレイ３８を互いに独立して昇降しうるようにしてあるが、天板１を３個に分断して、それぞれを独立して前後動しうるようにしたり、ディスプレイ３８および昇降支柱３１を１個または２個のみとしたりしてもよい。
【図面の簡単な説明】
【００４２】
【図１】本発明の一実施形態の外観斜視図である。
【図２】同じく平面図である。
【図３】図２のIII−III線に沿う拡大縦断正面図である。
【図４】図２のIV−IV線に沿う拡大縦断側面図である。
【図５】図２のV−V線に沿う部分拡大縦断正面図である。
【図６】図２のVI−VI線に沿う部分拡大縦断側面図である。
【符号の説明】
【００４３】
Ａ  後限位置
Ｂ  前限位置
Ｃ  半開位置
Ｄ  収容位置
Ｅ  使用位置
１  天板
２  天板支持体
３  側脚
４  幕板
５、５ａ  横杆
６  前面カバー
７  機器収容空間
８  凹溝
９  固定レール
１０  可動レール
１１  ボール
１２  サスペンションレール
１３  天板支持ブラケット
１３ａ垂下片
１３ｂ水平片
１４  長溝
１５  ピン
１６  係止手段
１７  開口
１８  ケース
１９  操作レバー
１９ａ作動片
１９ｂ係合ピン
２０  軸
２１  開口
２２、２３  係合孔
２４  ダンパー
２５、２６  軸
２７  機器昇降手段
２８  ガイドレール
２９  横連結材
３０  支持フレーム
３１  昇降支柱
３２  昇降体
３３  ガイドローラ
３４  定荷重ばね
３５  帯片
３６  ハンドル
３７  ブラケット
３８  ディスプレイ
３９  軸
４０  ストッパ
４１  収容ボックス
４２  パソコン本体
４３  キーボード
４４  トレー
【図１】
2010088758.tif 000003
【図２】
2010088758.tif 000004
【図３】
2010088758.tif 000005
【図４】
2010088758.tif 000006
【図５】
2010088758.tif 000007
【図６】
2010088758.tif 000008